(57)【要約】【目的】魚釣りや沢登りに適した靴用の滑り防止具にする。【解決手段】繊維体の縦糸と横糸とで編まれた草鞋台１の長さ方向一端を前方とし、後方に向う左右周辺部に、それぞれ間隔を空け、左右ほぼ対称位置に複数個の側輪２を設け、草鞋台１の前方辺りに大きめの輪環３を形成させ、締紐４にて、輪環３から左右の側輪２を挿通して輪環３が草鞋台１の前方上方辺りに浮き置かれた状態にしたものとし、使用時には履いた靴７の先を草鞋台１と輪環３との間に挿入させ、左右の締紐４を同時に引きながら足首前にて交差させてから、それぞれの返し輪５を挿通させて、足首前で結び止めるようにして用いるようにした靴用滑り止め草鞋。【選択図】図２
2011139877.tif 000002
【特許請求の範囲】
【請求項１】
繊維体を縒られてなる縦糸と横糸とで編まれて形成される草鞋台（１）において、該草鞋台（１）の長さ方向の一端中央を前方先端とし、その後方に向う左右周辺部には、それぞれ間隔を空けて、左右ほぼ対称位置に複数個の側輪（２）を設けると共に、上記草鞋台（１）の前方辺りには大きめの輪環（３）を形成させ、締紐（４）にて該輪環（３）から上記左右の側輪（２）を挿通して上記輪環（３）が上記草鞋台（１）の前方上方辺りに浮き置かれた状態にしたものと成し、使用時には履いた靴（７）の先を上記草鞋台（１）と上記輪環（３）との間に挿入させ、上記左右の締紐（４）を、それぞれ片手で把持して引きながら足首前にて交差させてから、それぞれの返し輪（５）を挿通させて、足首前で結び止めるようにして用いるようにした靴用滑り止め草鞋。
【請求項２】
各側輪（２）の高さを、靴（７）の甲面に達する程度の長さとすると共に、１本の締紐（４）の長さ中央辺りにて、草鞋台（１）の前方の左右側輪（２）数個に挿通させた後、縛るように少なくとも１回絡めて輪環（３）を形成させ、その後、残る左右側輪（２）を挿通させるようにした請求項１記載の靴用滑り止め草鞋。
【請求項３】
輪環（３）を、独立して別に作ったものとし、締紐（４）にて草鞋台（１）の先端から延長する２本の締紐（４）を左右に分け、左は左周辺部の、右は右周辺部の各側輪（２）と輪環（３）との間を、前方から後方の順に挿通して橋渡し（６）を形成させたものとした請求項１記載の靴用滑り止め草鞋。
【請求項４】
繊維体に、稲藁のような自然物を採用した請求項１乃至請求項３のいずれかに記載の靴用滑り止め草鞋。
【請求項５】
繊維体に、合成樹脂製の人工繊維を採用した請求項１乃至請求項３のいずれかに記載の靴用滑り止め草鞋。
【発明の詳細な説明】
【技術分野】
【０００１】  この発明は、靴底の滑り防止用として、魚釣りや沢登りなどの山登りの際に、使用中の靴に装着して用いる草鞋状のものである。
【背景技術】
【０００２】  従来、例えば釣用靴の靴底としては、苔や海草等を踏んだときに滑ってしまうことを防止するために、靴底に多数のスパイクピンを設けたものや、人工繊維製のフェルトを靴底に貼着したもの等が多く見受けられた。更には、このフェルトに加えて、スパイクピンを打込んだものが用いられていた。【０００３】  しかし、人工繊維を使用したフェルトなどは、苔や海草等による目詰まりが起こりやすく、一度目詰まりが起こると滑り止め効果を期待することはできない。
加えて、フェルトは、或る程度使用すると繊維が締まって表面が固くなり、滑り止め効果が減少してしまい耐久性の面でも問題があった。【０００４】  また、スパイクピンのものは、硬質であっても岩場等の硬い接地面には突刺さることができないため、釣人の期待通りの滑り止め効果を得ることはできなかった。
そこで、渓谷、河川、磯等に適した履物として昔から用いられているものに草鞋（わらじ）がある。荒縄からなる草鞋には非常に高い滑り止め効果がある。したがって、昔から草鞋同様の滑り止め効果を得ようとして、靴に荒縄を巻いたりするほどであった。【０００５】  そこで、滑り防止用材として、欠点の多いスパイクピンやフェルト以外のものを採用して成る先願を調べてみると次のような諸件が見出された。
先ず、全体が網目である所謂網袋であって、これを、少なくとも靴底部に着脱自在に取り付けた考案の名称「魚釣用靴」というものがある。（例えば、特許文献１参照。）。【０００６】  また、一本の紐体を、結着紐としてＵ字状にしたものに、両端部にその結着紐を通すための小孔のあるＵ字体とした小さい弾力性保持板を、結着紐のＵ字の中央部に１個と、そこから延長した両側の結着紐にそれぞれ数個を、間隔を空けて、それぞれ両側のＵ字の開口部が互いに向かい合うようにして結着紐に挿通させたものとする。そのことによって、それぞれのＵ字体の弾力性保持板部分には、挿通した結着紐とで孔部が形成される。【０００７】  この孔部に、縄や紐類を、互いに向かい合う両側の孔部間に渡って編み込み付帯させていくと、Ｕ字状の両結着紐間に、縄か紐類の編み面が形成されて草鞋のような滑り止めとなる。これは、その製作のための道具であり、考案の名称「縄、紐類を編み込み付帯し、滑り止め具として用いる道具」というものがある。（例えば、特許文献２参照。）。【０００８】  なお、草鞋と同等の滑り防止効果のあるものとして、ポリプロピレン繊維など人工繊維からなる太い縦糸と細い横糸とで編んで成り、かつ、少なくとも一方が弾性変形可能の凹凸した表面部で構成されたものとし、これを面ファスナーなどで靴底に取り付けて用いる発明の名称「釣用靴底」というものがある。（例えば、特許文献３参照。）。【０００９】  更に、殆ど草鞋の形に近いものであって、戦時下、靴の代用品として考えられたものであり、足を乗せる草鞋臺の前方周辺部には、鼻緒の左右に間隔を置いてそれぞれ４個ほどの小さな側輪を設けている。そして、草鞋臺の骨幹を成した幹紐の左右両紐を、草鞋臺の前頭中央部より外部に出たところで縒り合わせて柱紐を形成させ、次に左右両紐を結んでやや大きな径の輪環を形成させる。その後、その両紐を左右別々に、各側輪と輪環との間を順次嵌装させて、草鞋臺の前方上方に輪環が浮き上がった形に保持されたものとする。【００１０】  そして、草鞋臺の後方では、踵にあたる両側方にかけて、布製などの靴後側當片などで草鞋臺の後方周辺に縫着して靴形部を形成させている。更に、前記両紐の端部は締紐として一般の靴紐のように足首に相当する辺りで結着させていている。【００１１】  なお、この代用靴への足の着脱方法は、靴形部の側面にあるハゼ（こはぜ）の取り外しで行い、両締紐は結着のままであり、草鞋臺の裏には、布又は護謨製の底板を縫着させたものとした発明の名称「草鞋」というものがある。（例えば、特許文献４参照。）。
【先行技術文献】
【特許文献】
【００１２】
【特許文献１】実開昭５３−０６４６２６号公報（１頁、図面）
【特許文献２】実開昭６０−０５６３０９号公報（１頁、第３図、第４図）
【特許文献３】特開２００１−６１５０５号公報（２頁〜３頁、図１〜図４）
【特許文献４】特許第１４３６１９號公報（１頁〜２頁、第三図）
【発明の概要】
【発明が解決しようとする課題】
【００１３】  上述の特許文献１は、靴底部全体を網袋で覆った魚釣用としているが、網目の大小に違いがあったとしても、靴底に対して網目がずれやすく、網袋と靴との装着手段が貧弱で、結果として滑り防止力は小さいものと云わざるを得ない。【００１４】  特許文献２は、縄や紐類を、靴底を横断させて滑り止め具として用いるものであるが、靴底を横断する縄や紐類の本数が、片側の弾力性保持板の装着数と比例することから、その本数は草鞋とは比較にならぬほど少ないし、ズレやすく滑り防止力は小さく、靴への装着手段も貧弱であるから、靴から離脱しやすい欠点もあるものと思われる。【００１５】  特許文献３は、滑り止め材として人工繊維で縦糸と横糸を織成しているから、釣用靴底を、安価で量産性の高いものとすることができるとし、また、釣用靴底の滑り止めは凹凸状に形成されているから、高い滑り止め効果を得ることができるとしている。【００１６】  更に、縦糸と横糸との少なくとも一方が弾性変形可能であるため、海草や苔等が縦糸又は横糸の各々の間に侵入したとしても、靴底が接地したり離れたりすることによる縦糸又は横糸の弾性変形によりこれらを排出することができて目詰まりが起らない。即ち、草鞋同様の高い滑り止め機能を、長期に渡って維持することができるものとしている。【００１７】  確かに、草鞋に近い効果を生じ、また、工業的に量産性が高く安価に提供できるであろうが、肝心の靴への装着手段が、靴底へ面ファスナーで取り付けると述べていることに問題がある。これでは、予め靴底にも相手の面ファスナーを付設しておかなければならないこととなり、専用の靴を用いねばならないことになる。それも、おそらく装着力から考えて、靴底全面に亘る大きな面ファスナーを付設する必要があると思われる。【００１８】  特許文献４は、戦時下で靴の代用品とは云え、通常の草鞋材料にて、本体である足を乗せる草鞋臺を作っているから、目的は異なっても滑り防止効果は草鞋そのものである。
加えて、鼻緒の先端周辺部の左右に数個の側輪を設け、それらと草鞋臺の前方上方にある輪環との間に幾本もの紐が渡され、輪環が浮くように保持されていて、履いた素足の上表を保護していると共に、足先が前方から食み出すことをも防いでいるなど利点は多い。【００１９】  しかしながら、草鞋臺の骨幹を成した２本の幹紐を、そのまま延長して左右の柱紐・輪環・締紐と呼称が変わっても同一の紐を用いるのであるから、当然、長いものとなって製作時には扱いづらいことになる。加えて、片方の柱紐１本のみで輪を作り結んで輪環を形成させているから、輪環の分だけ左右のどちらかの紐を長くしておく必要がある。【００２０】  なお、特許文献４は、代用品とは云っても靴そのものである。それに、履く素足の大きさに合わせた上で、締紐を一般の靴紐のように足首に相当する辺りで結着したままで置いておくから、靴の形状・大きさに合わせて、その都度結び直して緊締することはできないので、この構成では靴への滑り防止用としては不十分だと云わざるを得ない。【００２１】  以上の上記４例は、いずれもそれぞれの理由で欠点がある。この発明の目的とすることは、使用靴を滑らないようにするために、草鞋状のものを着脱自在に使用靴底に密着固定化させることであり、各種の使用靴へ確りと緊締させ得る手段を提供することにある。
【課題を解決するための手段】
【００２２】  図１及び図２に示すように、繊維体を縒ってなる縦糸と横糸とで編まれて形成される草鞋台１において、その草鞋台１の長さ方向の一端中央を前方先端とし、その後方に向う左右周辺部には、それぞれ間隔を空け、左右ほぼ対称位置に複数個の側輪２を設ける。【００２３】  なお、この草鞋台１への各側輪２の配置は、必ずしも左右対称位置とすることはなく、互いに少しズレた配置としても構わないし、その数は図１のように片側に４個、図２では５個の例で示した。この程度で十分であるが、最後部の側輪２の位置は、履いた靴６の踝の少し前辺りとする。また、踵の後にあたるところには返し輪５を設けておく。【００２４】  これを、昔からの「草鞋」と対比して述べると、足を乗せる「台」に相当する草鞋台１の両周辺に、２個有する「乳」に相当する側輪２が複数個あり、鼻緒から延長される「ひげ」又は「緒」に相当する締紐４と、踵の後にあたるところには大き目の「返し輪」とで成るもので、鼻緒のない代わりに前方に複数の側輪２を有する草鞋台１である。【００２５】  そして、この発明にて重要な役割を果たす輪環３は、草鞋台１の前方上部辺りに配置する。この輪環３の形成方法には、大きく分けて２通りあり、１つは輪環３自体が締紐４と連続した一体の紐体のものであって、締紐４の一部で輪環３を形成させたもの。他の１つは、締紐４とは別に独立させて輪環３を作ったものである。
更に、締紐４と連続した一体のものでも２通りあり、１つは独立した締紐４の１本にて成るものと、他の１つは草鞋台１を構成する２本の幹紐を、そのまま草鞋台１から露出延長させて、その内の１本で輪を作って結んで輪環３とするものである。【００２６】  次に重要なことは、側輪２の長さである。上述の輪環３の形成方法が、締紐４と連続した一体のものでは、先ず、側輪２の長さを従来の草鞋のものより長く、使用する靴７の甲面に達する程度の高さになるようにする。このようにすれば、図１に示すように、締紐４を、１本の単独のものとして用いることができるようになる。そして、その長さ中央辺りにて、草鞋台１の前方の左右側輪２数個に挿通させた後に、縛るように少なくとも１回絡めて輪環３を形成させ、その後、残る左右側輪２を挿通させるようにしたものとなる。【００２７】  その点、側輪２の短いものでは、独立した１本の締紐４を採用することはできない。すなわち、結局は、草鞋台１から露出延長させた２本の幹紐を結んで輪環３を形成させるものとなって、幹紐の延長部分を締紐４とすることになるから、輪環３と左右各側輪２との間には、その締紐４にてなる幾本もの橋渡し６部分が生ずることになる。【００２８】  次に、輪環３を別に独立させたものを図３及び図４にて説明すると、輪環３は予め紐体にて、８のように輪状に固く結んでおき、これを上述のものと同じように、草鞋台１の先端部から露出する２本の締紐４を左右に分けて、左は左周辺部の、右は右周辺部の、各側輪２と輪環３との間を、前方から後方の順にそれぞれ順次挿通して橋渡し６を形成させ、輪環３が草鞋台１の前方上方辺りに浮き置かれた状態にしたものとするのである。【００２９】  以上でこの発明の各種重要部分の構成につき述べたが、使用時には図２及び図４に見るように、履いた靴７の先を、草鞋台１と輪環３との間に挿入させ、左右の締紐４を、それぞれ片手で把持して同時に引きながら足首前にて交差させてから、それぞれの返し輪５を挿通させて、足首前で結び止めるようにして用いるようにした靴用滑り止め草鞋とした。【００３０】  上記において、側輪２は、草鞋台１の周辺部から、単なる円状輪として突出する他に、図示省略したが、両下端部間を広げて三角輪として突出させるもよい。
また、返し輪５を草鞋台１の後方端から直接設けるように示したが、昔の草鞋のように踝保護のために、幅狭の草鞋台１延長部分を設けてもよいだろう。
なお、繊維体の素材として、稲藁など自然材を用いても、人工繊維である合成樹脂製として構わないし、また、両者の併用や、布地との組合せでも構わない。
【発明の効果】
【００３１】  この発明の効果は、草鞋台１が、昔の草鞋と同質か又は似た繊維体を採用し、加えて構造も同じであるから、渓谷、河川、磯等にて用いて海草や苔等が縦糸又は横糸の各々の間に侵入したとしても、靴底が接地したり離れたりすることによる縦糸又は横糸の弾性変形によりこれらを排出することができて目詰まりが起らない。
即ち、昔の草鞋同様の高い滑り止め機能を、長期に渡って維持することができるものであり、通常の形の靴７なら適用できて、かつ、容易に着脱できるものである。【００３２】  加えて、草鞋台１に対して各側輪２が、左右ほぼ対称に複数適宜な間隔で配置されているから、各側輪２の長いものはそれ自体で、各側輪２の短いものは橋渡し６の存在で、履いた靴７を装着しても、靴先が草鞋台１の先端近辺から露出する心配がない。【００３３】  例えば、図５に示すような輪環３がない場合を考えると、直接左右の側輪２同士間の締紐４による橋渡し６となるから、当然橋渡し６部分が長くなって、交叉する左右の締紐４同士がズレやすく、その隙間が広がりやすいから、靴先が食み出してしまう。
たとえ左右の側輪２間の交叉点で、左右の締紐４にてその都度結んだとしても、その隙間の大きさはさして変わらないので、靴先の食み出しは起りやすい。
したがって、図６に示すような輪環３の存在により橋渡し６部分が短くなって、使用時の足の動きによっても橋渡し６のズレが小さくなるから輪環３の効果は大きいと云える。【００３４】  ただし、前述の締紐４を結んで輪環３を形成させ、引続き橋渡し６へと続くものは、片方の締紐４を長いものとする必要があるし、長いだけ複数の橋渡し６作業が面倒となる。
その上、使用中に、輪環３形成用の結びが緩むと、その後方では結びのない連続した締紐４だから、輪環３の変形に伴い連鎖的に各橋渡し６も変形することになって、隙間が大きくなり、結果として靴先が食み出す虞を生ずることになるから、輪環３は独立したものとして別に固く結んで作りおいた方が好ましいと云える。【００３５】  更には、図１の側輪２が長く、締紐４が１本のみのものは、締紐４にて先方の側輪２を通してから、縛るように１回絡めて輪環３を形成させるものだから、輪環３の形成は結びではなく、先方の側輪２を均等に引っ張って緊張させる手段ゆえに、その緩みが各側輪２間の開きに影響しない利点があり、逆に、各側輪２との緊張度を引き具合で調整できる。
加えて、側輪２が長いから、靴７の甲近くまでを確実に把握する効果が高いのである。【００３６】  なお、前述の両下端部間を広げて三角輪として突出させた側輪２とすれば、側輪２の草鞋台１への作りが面倒にはなるが、その三角の２辺部が靴先の食み出し防止役を増やすことになって、より好ましいものとはなる。
加えて、左右の全側輪２を通した締紐４を、図２及び図４に見るように、足首の前で更に交差させた上で、返し輪５を通してから結ぶから、この締紐４の交差自体が、一層靴７の草鞋台１への密着度を上げる一助となっている。
また、この発明品は、全体として柔らかいので丸めて持参でき携帯が容易でもある。
【図面の簡単な説明】
【００３７】
【図１】この発明の実施例の斜視図である。（実施例１）
【図２】図１の使用状態を示す斜視図である。（実施例１）
【図３】この発明の他の実施例の斜視図である。（実施例２）
【図４】図３の使用状態を示す斜視図である。（実施例２）
【図５】輪環のない草履台に対する締紐の橋渡し状態を示す説明用の平面図である。
【図６】輪環のある草履台に対する締紐の橋渡し状態を示す説明用の平面図である。
【発明を実施するための形態】
【００３８】  この発明の最良の形態としては、素材に稲藁と、耐久性を考慮して少なくとも縦糸に人工繊維材を併用したものとし、側輪２を靴７の甲面に届く程度の長い輪として草鞋台１を構成させ、輪環３は締紐４の１本のみで、先方の側輪２を通貨後、縛るように１回絡めて輪環３を形成させる。そして、各側輪２を通り終えた締紐４は、足首前にて交差させてから返し輪５を挿通させ、足首前で結び止めるようにして用いる靴用滑り止め草鞋とする。
【実施例１】
【００３９】  実施例１は、図１に示すように、素材に稲藁を用いてなる草鞋台１の前方周辺部から足首近くの間に、それぞれ４個の側輪２を有して、１本の締紐４にて輪環３形成させ、続いて左右の側輪２と返し輪５を通して用いるものである。
【実施例２】
【００４０】  実施例２は、図３に示すように、素材は実施例１と同じでなる草鞋台１の前方周辺部から足首近くの間に、それぞれ５個の側輪２を有して、独立した形の輪環３に、左右の締紐４で各側輪２と順次橋渡し５をして完成させたものとした。
【実施例３】
【００４１】  実施例３としては、実施の各例として、素材にナイロン、ポリエステル、リニヤポリエチレン、ポリプロピレン等の人工繊維を用いたものや、藁に布を併用したものであり、その他は実施例１及び実施例２と同じである。
以上詳記のように、携帯に便利で、渓谷、河川、磯等に適した滑り防止用具として提供できて、工業的にも産業的にも有益な発明である。
【符号の説明】
【００４２】１  草鞋台
２  側輪
３  輪環
４  締紐
５  返し輪
６  橋渡し
７  靴
【図１】
2011139877.tif 000003
【図２】
2011139877.tif 000004
【図３】
2011139877.tif 000005
【図４】
2011139877.tif 000006
【図５】
2011139877.tif 000007
【図６】
2011139877.tif 000008